(57)【特許請求の範囲】
【請求項１】
デバイス上で、放送局からの放送及び該放送局に関連する対応する放送関連対話型コンテンツを受信する方法において、
該放送局に関する少なくとも放送周波数情報及び関連サイトのアドレス情報を含む放送ブックマーク情報を含むメッセージを受信する段階であって、該メッセージがセル同報サービス（ＣＢＳ）メッセージを含む段階、
該デバイス上に該放送ブックマーク情報と関連するブックマークを表示する段階、
該ブックマークのユーザー選択を受信したことに応答して、実質的に同時に、
該放送ブックマーク情報によって該放送局から放送を受信するように該デバイス上の受信器を設定する段階、及び
該放送局と対話するため該ブックマークと関連する対話型データ通信チャネルを開く段階、を実施する段階、
を含んで成る方法。
【請求項２】
該メッセージが、セル同報サービス（ＣＢＳ）メッセージ内に封入されたＲＤＳメッセージを含む、請求項１に記載の方法。
【請求項３】
デバイス上で、放送局からの放送及び該放送局に関連する対応する放送関連対話型コンテンツを受信する方法において、
該デバイスについての地理的位置を決定する段階、
該決定された地理的位置と整合する地理的位置パラメータを有する放送局の放送ブックマーク情報を見付ける段階、
該デバイス上に該放送ブックマーク情報と関連するブックマークを表示する段階、
該ブックマークのユーザー選択を受信したことに応答して、実質的に同時に、
該放送ブックマーク情報によって該放送局から放送を受信するように該デバイス上の受信器を設定する段階、及び
該放送局と対話するため該ブックマークと関連する対話型データ通信チャネルを開く段階、を実施する段階、
を含んで成る方法。
【請求項４】
該地理的位置を決定する段階には、該デバイス上のユーザーインターフェースから地理的位置情報を受信する段階が含まれている、請求項３に記載の方法。
【請求項５】
該地理的位置を決定する段階のために、該地理的位置が、該デバイスと通信状態にある無線セルラーネットワークから受信される、請求項３に記載の方法。
【請求項６】
該地理的位置を決定する段階のために、該地理的位置が、放送のＦＭ波内で伝送されたデータから決定される、請求項３に記載の方法。
【請求項７】
該地理的位置を決定する段階のために、送信されたデータがラジオデータシステム（ＲＤＳ）メッセージを含んでいる、請求項６に記載の方法。
【請求項８】
該地理的位置を決定する段階のために、該地理的位置が、通信ネットワークを介して該デバイスに伝送されたメッセージから決定される、請求項３に記載の方法。
【請求項９】
該メッセージがセルラーネットワーク制御メッセージを含んで成る、請求項８に記載の方法。
【請求項１０】
該地理的位置を決定する段階のために、該地理的位置が、該デバイスにより受信されたグローバル測位システム（ＧＰＳ）信号から決定される、請求項３に記載の方法。
【請求項１１】
該ブックマークの一部分として該放送局と関連する図形を表示する段階をさらに含んで成る、請求項３に記載の方法。
【請求項１２】
利用可能な放送波の周波数範囲をスキャンする段階、
利用可能な放送波を検出する段階、
予め定められた事象に応答して、該利用可能な放送波を受信するように該デバイス上の受信器を設定する段階、
該受信器が選択された該放送波を受信するように設定されていることを表示する図形を該デバイスのディスプレイ上に表示する段階、及び
該放送波と関連するサーバーから放送関連対話型コンテンツについてのデータを受信する段階、
を更に含んで成る請求項１又は請求項３に記載の方法。
【請求項１３】
該受信器を設定する段階のために、該予め定められた事象には、該利用可能な放送波のユーザー選択を受信することが含まれている、請求項１２に記載の方法。
【請求項１４】
該受信器を設定する段階のために、該予め定められた事象には、ユーザー選択を受信するためのタイムアウト期限の満了が含まれる、請求項１２に記載の方法。
【請求項１５】
該図形を表示する段階のために、該図形が、該利用可能な放送波と関連する放送局のためのロゴを含んで成る、請求項１２に記載の方法。
【請求項１６】
該図形を表示する段階には、該放送波と関連するサーバーから受信された放送関連対話型コンテンツを表示することが含まれている、請求項１２に記載の方法。
【請求項１７】
該デバイス上のメモリー内に該利用可能な放送波の放送ブックマーク情報を保存する段階をさらに含んで成り、該放送ブックマーク情報が、該利用可能な放送波の放送周波数及び関連する地理的位置を含む、請求項１２に記載の方法。
【請求項１８】
データネットワークと通信し放送を受信するためのデバイスにおいて、
ディスプレイ、
通信インタフェース、
受信器、
ユーザーインターフェース、
記憶媒体、及び
放送局に関する少なくとも放送周波数情報及び関連サイトのアドレス情報を含む放送ブックマーク情報を含むメッセージを受信する段階であって、該メッセージがセル同報サービス（ＣＢＳ）メッセージを含む段階、
該デバイス上に該放送ブックマーク情報と関連するブックマークを表示する段階、
該ブックマークのユーザー選択を受信したことに応答して、実質的に同時に、
該放送ブックマーク情報によって該放送局から放送を受信するように該デバイス上の受信器を設定する段階、及び
該放送局と対話するため該ブックマークと関連する対話型データ通信チャネルを開く段階、を含んで成る段階、を実施する該記憶媒体に結合されたプロセッサ、
を有して成るデバイス。
【請求項１９】
該メッセージを受信する段階のために、該メッセージが、セル同報サービス（ＣＢＳ）メッセージ内に封入されたＲＤＳメッセージを含んで成る、請求項１８に記載のデバイス。
【請求項２０】
データネットワークと通信し放送を受信するためのデバイスにおいて、
ディスプレイ、
通信インタフェース、
受信器、
ユーザーインターフェース、
記憶媒体、及び
地理的位置を決定する段階、
該決定された地理的位置と整合する地理的位置パラメータを有する放送局の放送ブックマーク情報を見付ける段階、
該ディスプレイ上に該放送ブックマーク情報と関連するブックマークを表示する段階、
該ブックマークの選択をユーザーインターフェースから受信する段階、
該放送ブックマーク情報によって該放送局から放送を受信するように該受信器を設定する段階、及び
該放送局と対話するため該ブックマークと関連する対話型データ通信チャネルを開く段階、を含んで成る段階、を実施する該記憶媒体に結合されたプロセッサ、
を有して成るデバイス。
【請求項２１】
該地理的位置を決定する段階には、ユーザーインターフェースから地理的位置情報を受信する段階が含まれている、請求項２０に記載のデバイス。
【請求項２２】
該地理的位置を決定する段階のために、地理的位置情報が該デバイスと通信状態にある無線セルラーネットワークから受信される、請求項２０に記載のデバイス。
【請求項２３】
該地理的位置を決定する段階のために、地理的位置情報が、該放送のＦＭ波内で伝送されたデータから決定される、請求項２０に記載のデバイス。
【請求項２４】
該地理的位置を決定する段階のために、伝送されたデータがＲＤＳメッセージを含んでいる、請求項２３に記載のデバイス。
【請求項２５】
該地理的位置を決定する段階のために、地理的位置情報が通信ネットワークを介して該デバイスに伝送されたメッセージから決定される、請求項２３に記載のデバイス。
【請求項２６】
該メッセージがセルラーネットワーク制御メッセージを含んで成る、請求項２５に記載のデバイス。
【請求項２７】
該地理的位置を決定する段階のために、該地理的位置が該デバイスにより受信されたＧＰＳ信号から決定される、請求項２０に記載のデバイス。
【請求項２８】
該プロセッサが該ブックマークの一部分として該放送局と関連する図形を表示する段階をさらに実施する、請求項２０に記載のデバイス。
【請求項２９】
該プロセッサが更に、
利用可能な放送波の周波数範囲をスキャンする段階、
利用可能な放送波を検出する段階、
予め定められた事象に応答して、該利用可能な放送波を受信するように該受信器を設定する段階、
放送局を表す図形を該ディスプレイ上に表示する段階、及び
該放送局と関連する放送関連対話型コンテンツを受信する段階、を含んで成る段階、
を実施する請求項１８又は請求項２０に記載のデバイス。
【請求項３０】
該プロセッサが、該放送局の放送ブックマーク情報を該記憶媒体内に保存するさらなる段階を実施し、該放送ブックマーク情報が、選択された放送波の放送周波数及び該放送波を受信するための関連する地理的位置を含む、請求項２９に記載のデバイス。
【請求項３１】
該予め定められた事象には、ユーザー選択を受信するためのタイムアウト期限の満了が含まれる、請求項２９に記載のデバイス。
【請求項３２】
該予め定められた事象には、利用可能な放送波のユーザー選択を受信することが含まれている、請求項２９に記載のデバイス。
【請求項３３】
移動体デバイス上で、
放送局に関する少なくとも放送周波数情報及び関連サイトのアドレス情報を含む放送ブックマーク情報を含むメッセージを受信する段階であって、該メッセージがセル同報サービス（ＣＢＳ）メッセージを含む段階、
該デバイス上に該放送ブックマーク情報と関連するブックマークを表示する段階、
該ブックマークのユーザー選択を受信したことに応答して、実質的に同時に、
該放送ブックマーク情報によって該放送局から放送を受信するように該デバイス上の受信器を設定する段階、及び
該放送局と対話するため該ブックマークと関連する対話型データ通信チャネルを開く段階、を含んで成る段階、を実施するためのコンピュータ実行可能な命令を有するコンピュータ読取り可能媒体。
【請求項３４】
該メッセージが、セル同報サービス（ＣＢＳ）メッセージ内に封入されたＲＤＳメッセージを含む、請求項３３に記載のコンピュータ読取り可能媒体。
【請求項３５】
移動体デバイス上で、
該デバイスについての地理的位置を決定する段階、
該決定された地理的位置と整合する地理的位置パラメータを有する放送局の放送ブックマーク情報を見付ける段階、
該デバイス上に該放送ブックマーク情報と関連するブックマークを表示する段階、
該ブックマークのユーザー選択を受信したことに応答して、実質的に同時に、
該放送ブックマーク情報によって該放送局から放送を受信するように該デバイス上の受信器を設定する段階、及び
該放送局と対話するため該ブックマークと関連する対話型データ通信チャネルを開く段階、を含んで成る段階、を実施するためのコンピュータ実行可能な命令を有するコンピュータ読取り可能媒体。
【請求項３６】
移動体デバイス上で、
利用可能な放送波の周波数範囲をスキャンする段階、
利用可能な放送波を検出する段階、
利用可能な放送波を受信するように該デバイス上の受信器を設定する段階、
該受信器が選択された該放送波を受信するように設定されていることを表示する図形を該デバイスのディスプレイ上に表示する段階、及び
該放送波と関連するサーバーから放送関連対話型コンテンツについてのデータを受信する段階、を含んで成る段階、を実施するためのコンピュータ実行可能な命令を更に有する請求項３３又は３５に記載のコンピュータ読取り可能媒体。
【請求項３７】
該デバイスのメモリー内に該放送波の放送ブックマーク情報を保存するさらなる段階を実施するためのコンピュータ実行可能な命令を有し、該放送ブックマーク情報が放送周波数及び地理的位置を含んで成る、請求項３６に記載のコンピュータ読取り可能媒体。
【発明の詳細な説明】
【技術分野】
【０００１】
本発明は、一般に移動体デバイスに関する。より特定的に言うと、本発明は、放送受信及びデジタル通信能力を有するデバイスに関する。
【背景技術】
【０００２】
プリセットラジオボタンは従来のラジオで一般的であり、好みのラジオ局と関連する周波数に対するプログラミング可能なショートカットとして使用するために周知のものである。ＦＭラジオ波を受信する能力をもつ移動体デバイスもまた既知である。従来のラジオと同じように、これらのデバイスは標準的に好みのラジオ局と関連する周波数を記憶しこれらの周波数に迅速に設定するためのオプションを含んでいる。しかしながら、従来のラジオとは異なり、これらの移動体デバイスの多くは、データネットワークに接続されている。このため、これらの移動体デバイスは、データを送信及び受信することができ、デバイスを通したインターネットへのアクセスを提供する。
【０００３】
数多くの移動体デバイスはＦＭラジオ局を受信すると同時にインターネットをブラウズすることができることから、このようなデバイス上でラジオを聞いている場合には、ラジオ局と関連するウェブページのコンテンツ（内容）を調べることが往々にして望まれる。かかるウェブページのコンテンツは、ラジオ放送をさらなる詳細及びその放送に関係する情報で補足するか又はローカルニュース及び気象情報といった付加的な情報を提供することができる。しかしながらこれらの移動体デバイスは、標準的に、ラジオ局と関連するＦＭ放送及びインターネット媒体に並行してアクセスするための手段を含んでいない。
【０００４】
このような従来の移動体デバイス上でラジオ局の放送を聞きながらラジオ局についてのウェブページのコンテンツを調べるためには、ユーザーは標準的に、問題のラジオ局を受信し、それとは別にインターネットをナビゲートしてそのラジオ局と関連するウェブサイトを見つけ出さなくてはならない。ユーザーは、該ウェブサイトについての予め選択されたブックマークを使用することによりラジオ局ウェブサイトまでナビゲートでき、そのラジオ局ブックマークを有するラジオ放送を受信することができる。しかしながら、それでもユーザーは、ラジオ局の放送を聞くと同時に対応するウェブサイトをブラウズするために、別々にラジオを受信し、ウェブをナビゲートする。ウェブサイトブックマークと共にプリセットラジオボタンを使用するには、ユーザーが各々のメディアソースへのアクセスを制御するために別々の段階を利用することが必要となる。このようなプロセスは、時間がかかりかつ必要以上に複雑である。さらに、このようなプロセスは、ある地理的エリア内で利用可能な多数の放送をスキャンする場合わずらわしいものである。このような移動体デバイス内でのこの欠点に対処するため、いくつかの解決法が提案されてきた。
【０００５】
提案された１つの解決法としては、デジタルラジオサービスの使用が含まれる。デジタルラジオは、アナログ送信ではなくむしろデータのラジオ放送から成る。伝送されるデータには、オーディオ情報と合わせてさまざまなタイプの情報が含まれ得ることから、デジタルラジオ放送を受信する移動体デバイスは、オーディオラジオ放送と関連するコンテンツを調べることができる。したがって、デジタルラジオを放送するラジオ局は、交通、気象及び広告情報といったような情報をオーディオ放送と同時に伝送できる。しかしながら移動体デバイスがインターネットと通信状態にあるのでないかぎり、ユーザーはラジオ局との一方向通信に制限される。換言すると、ユーザーは、ラジオ局によって送られた情報を調べることができるかもしれずまたさらにはその情報を通してナビゲートできるかもしれないが、ユーザーが異なる情報を要求するとか又は双方向通信でラジオ局と対話することはできない。
【０００６】
もう１つの提案された解決法には、ラジオデータシステム（ＲＤＳ）技術の使用が含まれる。ＲＤＳ技術は、ＦＭラジオ波と共に制限された量のデータの送信を含む。データは、ベースバンド送信の一部である１つ以上の副搬送波周波数で非可聴式に搬送される。伝送可能なデータの量は、比較的少なく、標準的には、番組局名（ＰＳ）、番組識別情報（ＰＩ）、又は局放送用の代替周波数といったような情報を含む。しかしながら、デジタルラジオと同様、移動体デバイスがインターネットと通信状態にあるのでないかぎり、ユーザーは、ラジオ局との一方向通信に制限される。換言すると、ユーザーは、ラジオ局により送られた少量の情報を調べることができるかもしれないが、異なる情報を要求したり又は双方向通信でラジオ局と対話したりすることはできない。さらに、ＲＤＳを使用するには、付加的なアンテナ及びチューナーすなわち受信器が必要であり、これらは数多くのこのような移動体デバイスにおいて利用可能ではない。
【０００７】
従来のラジオ及び移動体デバイスの両方について、ユーザーが異なる地理的エリアに移動する場合、プリセットボタン又は好みのラジオ局へのその他のプログラミング可能なショートカットは一般に、新しい地理的エリアには適用不能である。したがって、ユーザーは、標準的に、所望の放送を受信し及び／又は、所望のラジオ局へのショートカットをリセットするために新しいエリア内で利用可能な周波数全体をスキャンする。このプロセスはユーザー、特に頻繁に移動するユーザーにとっては時間のかかるイライラさせられる作業でありうる。さらにユーザーは、オーディオ情報しか伝送されていない場合、スキャンプロセス中に見付かった放送局の特性を完全に評価することができない。例えば、ユーザーは、オーディオ専門局については、特にスキャン対象局がスキャンプロセス中に広告を放送している場合、局の識別情報及び放送のジャンルを認識しないかもしれない。
【０００８】
かくして、アナログ及びデジタル通信を受信する能力をもつ移動体デバイス上での放送の受信を単純化するシステム及び方法に対するニーズが存在する。また、放送の受信のためのスキャンプロセスを単純化するシステム及び方法についてのニーズも存在する。さらに、異なる地理的エリアに移動した場合に放送に対する局のショートカットをリセットする必要性を無くさないまでも低減させるシステム及び方法に対するニーズも存在する。さらには、放送信号の受信のためにスキャンしている間放送局により提供される図形コンテンツと対話することに対するニーズも存在する。
【発明の開示】
【０００９】
上述の問題及び本明細書を読み進むうちに明らかとなるその他の問題を克服するため、本発明は、アナログ及びデジタル通信を受信する能力をもつ移動体デバイス上での放送の受信を提供するためのシステム及び方法を提供している。１つの実施形態においては、放送及び関連するウェブサイトへのショートカットを提供する結合機能性ブックマークが、地理的位置に従って移動体デバイス上に提供される。本発明のもう１つの実施形態においては、放送局スキャン／スクロール作業は、放送局及び局の特性を識別する上でユーザーを補助するスキャン対象局放送を表す図形を提供することによって、単純化されている。
【００１０】
さらにもう１つの実施形態に従うと、セル同報サービスにより移動体デバイスに対し、補足的放送情報が提供される。本発明の１つの態様においては、補足的放送情報には、放送ブックマーク情報が含まれる。その他の態様においては、補足的放送情報は、自動ラジオ受信という機能を可能にする。本発明の数多くの実施形態において、開示された方法を実現するためのコンピュータ実行可能な命令がコンピュータ読取り可能媒体上に記憶されている。付加的には、実施形態にはテレビ、衛星、及びその他の放送といったような異なる放送の受信も内含され得る。本発明のその他の特長及び利点は、以下の詳細な記述及び図面を参照することで明白になることだろう。
【００１１】
本発明は、以下の図面を参照しながら好ましい実施形態についての以下の説明において詳細に記述されることだろう。
【発明を実施するための最良の形態】
【００１２】
さまざまな実施形態についての以下の説明においては、その一部を成し、本発明を実践しうるさまざまな実施形態を例示の形で示す添付図面が参照指示されている。なお、本発明の範囲から逸脱することなく、その他の実施形態を利用し、構造的及び機能的修正を加えることができるということを理解すべきである。
【００１３】
図１及び図２に示されているように、本発明に従った１実施形態は、データ通信ネットワーク１２及び放送ネットワーク１４と通信状態にある移動体データ端末デバイス（ＤＴＥ）１０を含んでいる。ＤＴＥ１０は一般に、放送を受信しデジタル通信ネットワークと対話する能力をもつあらゆる移動体デバイスを含む。放送ネットワークは、送信機１６から伝送される１つのラジオ局（図示せず）と関連するラジオ波を含むか又はテレビ、衛星又はその他のタイプのデジタル又はアナログ放送を含むことができる。データ通信ネットワーク１２は、またラジオ局（図示せず）と関連する放送局サーバー１８と通信可能である。ＤＴＥ１０は一般にディスプレイスクリーン２０、メモリー２２、キーパッド２４、プロセッサ２６、ラジオ受信器２８、アンテナ３０及び通信ハードウェア３２を含む。当該技術分野において周知であるように、プロセッサ２６は、メモリー２２内に記憶された命令に従って各ステップを実施し、一般にＤＴＥ１０のその他のコンポーネントと相互作用する。ディスプレイスクリーン２０は、イメージを表示し、キーパッド２４は、オペレータからの入力を受信するようになっている。
【００１４】
アンテナ３０は、当該技術分野において既知のとおり、送信機１６により送信されたラジオ放送ネットワーク１４内のラジオ波を受信することができる。ラジオ受信器２８は、アンテナ３０に接続され、送信機１６から送信されるものといったような、アンテナ３０により受信されるラジオ波の選択された周波数を受信、復調及び増幅するようになっている。ラジオ受信器２８は、数ミリセカンド以内に再設定させることのできるデジタル位相ロックループ（ＰＬＬ）シンセサイザである。通信ハードウェア３２は、当該技術分野において既知であるように、ＤＴＥ１０から送信又は受信されたマイクロ波といったような、無線通信信号を受信及び変調又は復調するようになっている。かくして、１実施形態に従ったデバイス１０は、データネットワークと同時に通信しながらラジオ局放送を受信する能力をもつ移動体デバイスを含んで成る。しかしながら、本発明のデバイスは、それがデータ接続性及び放送受信能力の両方を有することを条件として、デバイスのいずれか特定の実施形態に制限されるわけではない。
【００１５】
さらに、本発明のデバイスは、データ接続性又は放送受信を可能にするためのいずれか特定の実施形態に制限されていない。例えば、ＤＴＥ１０は、ＴＤＭＡ（時分割多元接続）、ＣＤＭＡ（符号分割多元接続）、ＧＳＭ（グローバル移動体通信システム）又はその他のこのようなアクセスシステムを用いる第２世代の無線システムといったような、データ接続性のための回線交換接続を使用することができる。その他の例においては、ＤＴＥ１０は、ＧＳＭネットワーク全体にわたるＧＰＲＳ（汎用パケット無線サービス）と言ったような、パケットベースのアクセスシステム、又はＷＬＡＮ（無線ローカルエリアネットワーク）又はＢｌｕｅｔｏｏｔｈ（登録商標）といったような近距離接続システムを使用することができる。放送受信に関しては、ＤＴＥ１０は、例えば、アナログラジオ伝送、デジタルラジオ伝送、衛星ラジオ伝送、アナログテレビ伝送、デジタルテレビ伝送又はその他のかかる放送を受信することができる。
【００１６】
１つの実施形態に従うと、ラジオ放送ブックマーク情報３４は、メモリー２２内に記憶され、ユーザーによりプログラミング及び選択され得る。ラジオ放送ブックマーク情報３４は一般に、ファイル、インターネットプロトコル（ＩＰ）アドレス、ユニホームリソースロケーター（ＵＲＬ）などと言ったさまざまな資源をポイントするハンドル又は識別子を含む。放送ブックマーク情報はまた、その放送ブックマーク情報をさらに定義するパラメータを含み得る。ラジオブックマーク３４は一般に、ブックマーク３４の選択の結果として、共に特定のラジオ局と関連するネットワークアドレス及びラジオ周波数の両方が選択されることになるような結合機能性を有する。したがって、送信機１６により伝送されるものといったような、１つのラジオ局のためのラジオ波の周波数に対して受信器２８を設定し、放送局サーバー１８といったような、あるネットワークアドレスに位置するラジオ局と関連するサーバーとデバイス１０を実質的に同時に接続させるためには、ユーザーは単純にラジオブックマーク３４を選択するだけでよい。
【００１７】
例えば、ラジオ送信機１６が、例えばコールサインＷＺＺＺをもつラジオ局といったような、ある種のラジオ局（図示せず）のためにＦＭラジオ波を送信し、放送局サーバー１８がラジオ局ＷＺＺＺにより運用されていると仮定する。また、ラジオ局ＷＺＺＺが、そのＦＭラジオ放送に補足的なものである情報を提供する放送局サーバー１８上で１つのウェブサイトを維持していると仮定する。また、該ラジオ局がユーザーにとっての好みのラジオ局であり、ユーザーが該ラジオ局放送のための周波数情報及びラジオ局サーバー１８のネットワークアドレスを内含するべく放送ブックマーク情報１ ３６をプログラミングしたと仮定する。このため、ラジオ放送を聞き、該ラジオ局のためのウェブコンテンツ（内容）を調べるためには、ユーザーは単にブックマーク１ ３６を選択する必要しかない。ユーザーは、グラヒックユーザインタフェースについて当該技術分野において既知であるように、キーパッド２４を使用してディスプレイ２０上に示されたブックマーク１ ３６を選択することによって、放送ブックマーク情報１ ３６の象徴を選択することができる。代替的には、ユーザーは、ブックマーク１ ３６と関連するキーパッド２４上のキーを選択するか、又はブックマークを選択するべくその他のかかる方法を使用することができる。
【００１８】
ここで図３を参照すると、ユーザーがブックマーク１ ３６を選択した場合、プロセッサはメモリー２２内に記憶された命令に従い、関連するステップを実施する。したがって、プロセッサ２６は、ユーザーのブックマーク１ ３６の選択を検出する（５０）。ブックマーク１ ３６は、メモリー２２内に記憶されたラジオプレイヤーアプリケーション３８及びワイヤレスマークアップ言語（ＷＭＬ）アプリケーションといったようなブラウザアプリケーション４０の両方をポイントする。放送ブックマーク情報１ ３６はまた、ラジオ局ＷＺＺＺのための周波数情報及びウェブサイトアドレス情報を含むパラメータ４２をも内含している。パラメータは一般に、１つ以上のブックマークをさらに定義するか又は関連するブックマークの選択に基づいてＤＴＥ１０の性能に影響を与える情報又はデータを含む。パラメータには、周波数情報及びネットワークアドレス情報並びにその他のタイプの情報が含まれていてよく、そのいくつかの例について以下で論述されている。
【００１９】
ブックマーク１ ３６の選択は、ラジオプレイヤーアプリケーション３８及びブラウザアプリケーション４０の両方を呼び出し、それぞれのアプリケーション３８、４０に対してパラメータ４２内の情報を提供する。ラジオプレイヤーアプリケーションに従って、プロセッサ２６は、関連するラジオ局放送を受信するべくブックマーク１ ３６の周波数パラメータ４２にラジオ受信器２８を設定する（５２）。ブラウザアプリケーション４０に従って、通信ハードウェアは、ラジオ局ウェブサイトのためのデータを要求する放送局サーバー１８のネットワークアドレスに対して要求を送る（５４）。要求を送るステップ５４には、既に開いていない場合に通信チャネルを通信ハードウェア３２を用いて開くことが含まれうる。例えば、通信ネットワーク１２との通信がＧＳＭのような回線交換接続を介している場合には、接続はサービス時間中開放され、サービス使用が終了した時点で閉じられる。かくして、通信チャネルは、あらゆる要求の送信（５４）に先立って開放される必要があるかもしれない。これはまた、接続がまだ確立されていない場合に、ＧＰＲＳといったようなパケット交換接続についても適用可能であり得る。
【００２０】
要求の送信（５４）に応じて、放送局サーバー１８はデータをデバイス１０に戻し、プロセッサ２６はデータを受信する（５６）。この時点で、ブラウザアプリケーション４０及びサーバー１８により管理されるセッションを、放送局サーバー１８と共に確立することができる。１つの実施形態に従うと、データが受信された時点で、プロセッサは、ユーザーが選択できるリンクを含むラジオ局用のウェブページ（図示せず）を表示する。もう１つの実施形態に従うと、ウェブページを更新するため、更新データが頻繁に受信される。このようにして、ユーザー入力の如何に関わらず、ＤＴＥ１０上に表示された情報は、再生中の歌の名前などといった放送の現在の内容を反映するため、又は局上で放送されつつあるクイズ又はコンテストなどについて入力の機会を提供するため、ラジオ放送と実質的に同期化される。ディスプレイ２０中に示されたリンクをユーザーが選択する（５８）のをプロセッサが検出した場合、プロセッサ２６は、そのリンクのための放送局サーバー１８からのデータを要求する（６０）ようにデバイス１０に命令する。したがって、ブックマーク１ ３６を単に選択することによって、ユーザーはラジオ局の放送を聞くと同時にラジオ局のウェブサイトをブラウズし、かくして、ラジオ放送に補足的な情報を受信する手段を有することができる。
【００２１】
本発明のもう１つの実施形態においては、放送局サーバー１８との対話は、ショートメッセージサービス（ＳＭＳ）及び／又はマルチメディアメッセージサービス（ＭＭＳ）メッセージを介して行われ得る。したがって、ブックマークの選択（５０）の時点で、ＤＴＥ１０は、ＳＭＳテキストメッセージといったようなメッセージをサーバー１８に送る。ＳＭＳメッセージ（図示せず）は、サーバー１８に、ＤＴＥ１０がラジオ局を聞き始めたという情報を提供し、サーバーからの関連するデータを要求する（５４）。これに応答して、サーバー１８は、１つ以上のＳＭＳ又はＭＭＳメッセージを送って、コンテンツ供給を提供する。これらのメッセージの頻度は可変的である。例えば、ラジオ局により放送されている現行の番組を表示するために、わずか１つの初期メッセージのみを提供することができる。代替的には、メッセージは５分毎といったように設定された間隔で送られてもよいし、又は例えば新しい歌がプレイされる場合といったように設定された時点で送られてもよい。さらに、ＤＴＥ１０は、それがもう１つのラジオ局を受信する場合、好ましくはＳＭＳメッセージをサーバー１８に送り、かくして、サーバー１８に変更の情報を与え、サーバーからのさらなるメッセージを終結させる。
【００２２】
本発明のさらなる実施形態においては、周波数及びＩＰアドレスパラメータ情報はデバイス上に記憶されずに、ネットワーク１２と通信状態にあるサーバー上といったように遠隔記憶されてもよい。このことは、ユーザーがその他のプログラミングされたパラメータに応じて異なるラジオ局のためのラジオ放送ブックマーク情報をプログラミングできるようにするといったような数多くの恩恵を提供する。例えば、ユーザーは、ユーザーが現在いる位置用として最も電波の強いクラシック音楽のラジオ局をブックマーク１ ３６が表すことを望むかもしれない。このことは、頻繁に移動するユーザーにとって特に有益でありうる。該ユーザーの現在位置は、ラジオブックマークの使用に柔軟性を加えるのに有用でありうる付加的なパラメータの一例である。ユーザーの位置は、例えば、グローバル測位システム（ＧＰＳ）技術を用いて自動的に決定され得るが、本発明は、ＧＰＳ又はその他の何らかの測位技術に制限されるものではない。
【００２３】
もう１つの例では、パラメータは、ＤＴＥ１０と関連する独自の装置ＩＤであり得、かくして特定の放送ブックマーク情報のためのラジオ周波数及びＩＰアドレスが装置ＩＤと関連づけされるようになっている。パラメータのもう１つの例は、一意的ユーザーＩＤであり、ここでデバイス上のラジオ放送ブックマーク情報はユーザー名及びパスワードといったような一意的ユーザーＩＤに従って修正されている。多数のパラメータが、さらに一層の柔軟性を加えることができる。さらなる一例においては、特定のデバイス１０上のブックマーク３４は、デバイスの異なるユーザーのための異なるラジオ局を表し得る。このため、ユーザーは、一意的ユーザーＩＤを入力することが必要となる可能性があり、これは、ユーザー名及びパスワードとして手動式に入力することも、またデバイス内への識別モジュールの挿入又はその他の同様の手段を通して入力することもできる。したがって、パラメータは、一意的ユーザーＩＤであり得、また放送ブックマーク情報は、個々のユーザーのプログラミングに従ってラジオ局又はラジオ局に対する選好性を表し得る。
【００２４】
さらなる例においては、パラメータには、ユーザーにより確立された選好性が含まれ、かくして、ブックマークは、日時、場所又はその他の要因に基づいて異なる局を表すことになる。例えば、ユーザーは、ブックマーク１ ３６がラッシュアワーの間の移動情報、日中のロック音楽及び夕方のクラシック音楽を意味することを好むかもしれない。もう１つの例においては、ユーザープロフィールは、ブックマークを新規作成するブックマークウェブサイトに提供されたユーザーの統計的情報に基づいて確立され得る。ブックマークウェブサイトは、ユーザーが受諾することを選択できる放送ブックマーク情報をＤＴＥ１０に転送し得る。異なる例においては、ブックマークは特定の局を表すことができ、ユーザーに対する位置パラメータに基づいて、異なる放送周波数がその局のために適用可能でありうる。ラジオ局系列を伴う一例においては、ブックマークはその系列を表すことができ、ユーザーの位置パラメータに基づいて、その系列内部の１つの局について１つの周波数が適切であり得る。
【００２５】
放送ブックマーク情報３４及びそれらのパラメータは、キーパッド２４を用いてＤＴＥ１０上に記憶されたソフトウェアに従って、又はユニバーサル・シリアル・バス（ＵＳＢ）接続又はネットワーク通信を通してといったようにもう１つのコンピュータとのインタフェースを通して、又は移動体データ端末をプログラミングするためのその他既知の方法を通して、プログラミングすることができる。その他の例においては、放送ブックマーク情報３４及びそれらのパラメータは、遠隔プログラミングを行って無線で（ＯＴＡ）ＤＴＥ１０まで送ることができる。このような例においては、ユーザーの友人が、１つの放送局を推薦するために、ユーザーに放送ブックマーク情報を送ることができる。これは、Ｎｏｋｉａ ＳＭＡＲＴ ＭＥＳＳＡＧＩＮＧといったようなショートメッセージサービス（ＳＭＳ）を用いて達成可能である。もう１つの例においては、ユーザーは、ＳＭＳメッセージを用いて又はウェブベースのサービスを通して、放送局に放送ブックマーク情報を要求することができる。さらに、放送局サーバーは、ユーザープロフィールに基づいて放送ブックマーク情報セット全体を送ることができる。さらなる例においては、ユーザーは、ＤＴＥ１０のために遠隔でそれらの放送ブックマーク情報を構成するべくウェブベースのサービスを用い、次にＯＴＡ通信を介してＤＴＥ１０を更新することができる。さらにもう１つの例においては、放送ブックマーク情報を、セル同報サービス（ＣＢＳ）を用いて伝送することができ、この場合、そのエリア内の利用可能なラジオ局に対応する放送ブックマーク情報のみがそれぞれのユーザーに伝送される。一般に、ＤＴＥ１０は、１つの放送ブックマーク情報として認識されているメッセージを受信した場合、自動的に又はユーザーの検証の後に、メモリー内に放送ブックマーク情報を記憶することができる。
【００２６】
さらなる柔軟性を提供しブックマークを伴うパラメータの使用をさらに例示するために、図４に示されているような本発明のもう１つの実施形態には、移動体端末デバイス（ＤＴＥ）１１０、局ＩＤサーバー１１３、放送局サーバー１１８及び送信機１１６が含まれている。ＤＴＥ１１０は、通信ネットワーク１１２及び放送ネットワーク１１４と通信状態にあってよい。局ＩＤサーバー１１３及び放送局サーバー１１８は一般に通信ネットワーク１１２と通信状態にある。送信機１１６は、放送ネットワーク１１４内でラジオ波を放送する。局ＩＤサーバー１１３は一般に、選択された放送ブックマーク情報及び局ＩＤサーバーに送られたその他のパラメータに基づいて放送局を識別するサーバーを含んでいる。局ＩＤサーバー１１３は一般に、記憶媒体１１５及び記憶媒体内に収納された命令を処理するためのプロセッサ１１７を含む。例示を目的として、ユーザーが家族のメンバーとＤＴＥ１１０を共有し、したがって、ユーザーとそのブックマーク選好性とを識別する一意的ユーザーＩＤを手動式で入力したと仮定する。さらに、デバイス１１０が一般に、本明細書にて論述されている差異及び態様を除いて前述の実施形態におけるＤＴＥ１０と類似している図５に示されているとおりに構成されるものと仮定する。
【００２７】
したがって、ＤＴＥ１１０は、メモリー１２２内に記憶されディスプレイ１２０上に図形で表示されているブックマーク１ １３６とブックマーク２ １３７を含む。ブックマーク １３６、１３７の各々は、ラジオプレイヤ／ウェブサイトビューア−アプリケーション１３９及びユーザーＩＤ１４１のパラメータをポイントしている。１つの実施形態に従ったプレイヤ／ビューア−アプリケーション１３９は、フラッシュ又はＳＭＩＬ（同期化マルチメディア統合言語）プラグインを実行するブラウザアプリケーションである。アプリケーション１３９は、端末の初期ソフトウェア一式内に含まれていてもよいし、あるいはＤＴＥ１０上でダウンロードされるか又はその他の形でインストールされ得る。ブックマーク１ １３６が選択された場合、それは、アプリケーション１３９を呼び出し、それをメモリー１２２内に記憶された一意的ユーザーＩＤ１４１にポイントする。アプリケーション１３９は、選択された放送ブックマーク情報及びユーザーＩＤ１４１に基づいて、プロセッサ１２６に対し、ＤＴＥをセットアップして放送を受信し選択された放送ブックマーク情報及びユーザーＩＤパラメータのためのウェブサイトと接続するよう命令する。かくして、放送ブックマーク情報を、同じデバイスの異なるユーザーのために一意的に構成することができる。
【００２８】
このような実施形態に従った本発明の使用は、一般に図６に例示されている。ユーザーは、ＤＴＥ１１０上で例えばブックマーク１ １３６といったラジオブックマークを選択することにより、ステップ１５０内でプロセスをスタートする。アプリケーション１３９を呼出すブックマーク１ １５０の選択に応えて、プロセッサ１２６は、局ＩＤサーバー１１３に対しラジオ局放送局サーバー１１８のネットワークサービスアドレス及びラジオ放送周波数情報に対する要求を送るステップ１７０を実施する。該要求は、ブックマーク１ １３６といったような特定のブックマークに関係づけされ、一意的ユーザーＩＤ１４１といったような関係づけされたパラメータに基づいている。局ＩＤサーバー１１３は、一意的ＩＤパラメータ１４１を含む要求を受信し、一意的ユーザーＩＤ１４１及びブックマーク１ １３６についての適切な周波数情報及びネットワークアドレス情報を決定し、通信ネットワーク１１２を介してＤＴＥ１１０に情報を戻す（１７２）。ＤＴＥ１１０はその後受信器１２８を設定して（１７４）、ラジオ放送を受信し、戻されたネットワークアドレスに位置する放送局サーバー１１８からのデータを要求する（１７６）。サーバー１１８は好ましくは、ラジオ局ウェブサイトと関連するデータを送り、これをＤＴＥ１１０はネットワーク１１２を介して受信する（１７８）。したがってユーザーは、サーバー１１８のためのウェブサイトディスプレイを調べることができ、ウェブサイトディスプレイ上に示されたリンクを選択し得る（１８０）。かかる選択に応えて、プロセッサ１２６は、選択されたリンクと関連するデータを要求する（１８２）。
【００２９】
ここで図７及び８を参照すると、ＤＴＥ２１０、局ＩＤサーバー２１３及び放送局サーバー２１８の間のメッセージフローに関して以外、前述の実施形態全ての態様及び選好性を一般に内含する、本発明のさらなる実施形態が示されている。ここで示されている同じ番号は、前述の実施形態と同じコンポーネント、ステップ及び特長を意味している。したがって、ユーザーがＤＴＥ２１０上でラジオブックマークを選択する（２５０）につれて、プロセッサは該入力を受信し、ネットワーク２１２を介して局ＩＤサーバー２１３に１つの要求を送る（２７０）。該要求は同様に、選択された放送ブックマーク情報及びユーザーの一意的ユーザーＩＤのパラメータに基づくラジオ局のためのサーバー２１８用ネットワークアドレス及び放送情報に対するものである。局ＩＤサーバー２１３は、選択されたブックマーク及び送信されたパラメータに対応する適切なラジオ局を選択し、選択されたラジオ局のためのサーバー２１８へと、サーバー２１８のネットワークアドレスに対する要求を転送する（２９０）。放送局サーバー２１８は今度は、周波数情報及びそのウェブサイトのためのネットワークアドレスをＤＴＥ２１０に送る（２９２）。
【００３０】
サーバー２１８から周波数及びネットワークアドレス情報を受信した後、ＤＴＥ２１０は受信器を設定して（２９４）、ラジオ局放送を受信する。好ましくは、サーバー２１８から送られた情報と共に内含されているのは、ラジオ局のウェブサイト用のウェブサイトデータである。したがって、ＤＴＥ２１０は、ウェブサイトデータを受信する（２９６）につれて、ＤＴＥディスプレイ上にウェブサイト情報を表示する。ユーザーはこのときウェブサイト表示から１つのリンクを選択する（２９８）と、ＤＴＥ２１０はネットワーク２１２を介して該リンクに従ってデータ要求を送信する（２９９）。該リンクと関連するデータに対する要求は、ネットワーク２１２又はサーバー２１８と通信状態にある異なるサーバーに対するものでありうる。
【００３１】
図１〜４と共に、図９〜１６は、図１〜４に例示された第１の実施形態の態様及び選好性を一般に内含するその他の実施形態を示している。長距離通勤者又はセールスマンといったような頻繁に移動するユーザーは、自らの現在の地理的位置内で利用可能な局又はユーザーが要求した地理的位置のためのブックマークを調べたいと考えるかもしれない。このため、ユーザーが望む場合には、移動体デバイスがユーザーの現在位置を自動的に決定しそれに応じてブックマークを表示することが有用となるだろう。さらに、地理的位置内で利用可能な局のためのブックマークを通したスクローリングを、各々の利用可能な局についてのブックマークをその局についての地理的情報と共に表すことによって改善することが可能である。本明細書で用いられているスクローリングというのは、一般に、移動体デバイス上で一群のブックマークを調べることを意味する。ブックマークは、数多くのやり方で調べることが可能である。例えば、異なる方向（例えば横方向、対角線方向、上向き及び下向き）にリストに沿って移動させることにより、ブックマークのリストを調べることができる。もう１つの例では、さまざまなビュー及びシーケンスでブックマークを表示するユーザーインターフェースをナビゲートすることにより、一群のブックマークを調べることができる。
【００３２】
ここで図９を参照すると、１つの地理的エリアについて利用可能なブックマークを地理的に表し、かつ関連する局のデータ双方向性能力を表示するようにしたＤＴＥ３１０が示されている。ＤＴＥ３１０は一般に、ブックマーク３３４がＤＴＥ１０の地理的位置パラメータに関係づけられ、メモリー３３２がブックマークデータベース３３５及びラジオスキャン／プレイヤ／ビューア−アプリケーション３３７を内含するという点を除いて、図２のＤＴＥ１０と同じである。ブックマークデータベース３３５は、ブックマーク及び各ブックマークと関連する地理的位置パラメータ（図示せず）を含み、関連する局を表す局ロゴといったような図形又は該図形を収納するファイルに対するポインタを、オプショナルに内含し得る。データベース３３５はさらに、各ブックマークと関連するさらなるパラメータ又はその他の情報を内含しうる。アプリケーション３３７は、ウェブサイト双方向性を提供することと共に受信及びスキャン能力を提供するためにフラッシュ又はＳＭＩＬ（同期化マルチメディア統合言語）プラグインを実行するブラウザアプリケーションであり得る。アプリケーション３３７はまた、ＪＡＶＡ（登録商標）２ Micro Edition（Ｊ２ＭＥ）環境で実行するアプリケーションといったような専用放送プリケーションでもあり得る。
【００３３】
アプリケーション３３７は、地理的位置パラメータに従ってブックマークを提供し、現在の地理的位置情報を決定するようになっている。例えば、地理的位置情報は、セルラーネットワークとの対話に基づきＤＴＥ３１０によって、グローバル測位システム（ＧＰＳ）技術を介して、又はラジオデータシステム（ＲＤＳ）メッセージを含む放送伝送を通して、決定可能である。もう１つの例では、ユーザーは単に、キーパッド３２４を介してＤＴＥ３１０内に地理的位置情報を入力するだけでよい。
【００３４】
図１０は、本発明の１実施形態に従って地理的位置情報を決定するためのユーザー入力方法３５０を例示している。図示されているように、ユーザーは、キーパッド３２４を介して位置情報を入力する（３５２）ことによって自らの位置を規定することができ、この情報は次にメモリー３３２内に記憶される（３５４）。地理的位置情報はさらに、それがＤＴＥ３１０上に記憶されたことをユーザーに示すためディスプレイ３２０上に表示（３５５）され得る。地理的位置情報は、例えば、郵便番号又は都市名を含み得る。かかる方法は、例えば、ユーザーが自らの現在位置とは無関係に自宅の位置についてのブックマークを調べたい場合などに望まれる可能性がある。もう１つのケースでは、ユーザーは、自らの現在位置では表示されない近辺の位置のためのブックマークと関連する弱い放送信号を受信することを望むかもしれない。
【００３５】
図１１は、本発明のもう１つの実施形態に従って、図９に示されたＤＴＥ３１０上の地理的位置情報を決定するためのセルラーネットワーク方法３５６を例示している。図示されているように、アプリケーション３３７の実行に応答して、該アプリケーションは、図１に示された通信ネットワーク１２といったような、セルラーネットワーク１２からの地理的位置情報を要求する（３５７）。セルラーネットワーク１２は、既知の方法を用いてＤＴＥ３１０の位置を決定する（３５８）。例えば、ＤＴＥ３１０からの伝送の信号強度及び／又は隣接するセルを用いた三角測量方法（例えば到来角（ＡＯＡ）、到来時間差（ＴＤＯＡ）など）に基づいて、セルラーネットワーク１２は、ＤＴＥ３１０の位置を正確に決定することができる。ひとたび決定されたならば、ネットワーク１２はＤＴＥ３１０に対して地理的位置情報を報告する（３５９）。地理的位置情報の受信時点で、ＤＴＥ３１０はメモリー３３２内に地理的位置情報を記憶する（３６０）。オプショナルには、ＤＴＥ３１０は単純に、現在のセルについての地理的位置情報を提供するセルラーネットワーク１２用の管理チャネルを監視するだけでよい。地理的位置情報はさらに、ＤＴＥ３１０上に記憶されている現在の位置をユーザーに示すべくディスプレイ３２０上に表示（３６１）され得る。
【００３６】
地理的位置情報を決定するべくアプリケーション３３７のプログラミングに従ってセルラーネットワーク方法３５６を反復的に使用することができる。例えばユーザーが地理的位置パラメータに基づいてブックマークを調べる場合にはいつでもアプリケーション３３７はプロセッサ３２６及び通信ハードウェア３３２に対し地理的位置情報を更新するよう命令することができる。もう１つの例においては、アプリケーション３３７をセットアップして、地理的位置情報に対する要求を定期的に開始することができる。さらなる例においては、ＤＴＥ３１０はネットワーク１２を監視し、異なるセルへのハンドオーバー又は信号強度の変化などに基づいて、位置が充分に変化したことを決定した場合には新しい位置を自動的に要求し記憶する。
【００３７】
図１２は、本発明のさらなる実施形態に従った図９に示されたＤＴＥ３１０上で地理的位置情報を決定するためのラジオデータシステム（ＲＤＳ）伝送方法３６２を例示している。ＲＤＳ技術には、ＦＭラジオ伝送と共に制限された量のデータを伝送することが含まれ、往々にして地理的位置情報が含まれる。データは、非可聴のベースバンド伝送の一部分である１つ以上の副搬送波周波数で搬送される。方法３６２用のＤＴＥ３１０は、ＲＤＳ伝送を受信するためのＲＤＳ受信器（図示せず）及び付加的なアンテナ（図示せず）を含む。アプリケーション３３７の実行に応えて、ＲＤＳ位置データを受信する（３６６）段階を含め、アプリケーションはＦＭ放送３６５を受信する（３６４）。位置データ（図示せず）に基づいて、ＤＴＥ３１０は、地理的位置情報を抽出し（３６８）、メモリー３３２内にその情報を記憶する（３７０）。地理的位置情報は、ＤＴＥ３１０中に記憶された現在の位置をユーザーに示すべくさらに表示され得る（３７１）。
【００３８】
図１３は、本発明のさらなる実施形態に従った、図９に示されたＤＴＥ３１０上で地理的位置情報を決定するためのグローバル測位システム（ＧＰＳ）方法３７０を例示している。図示されているように、アプリケーション３３７の実行に応えて、ＤＴＥ３１０は当該技術分野において既知のとおりのＧＰＳ受信機（図示せず）を介してＧＰＳ信号３７３を受信する（３７２）。ＧＰＳ信号に基づいて、ＤＴＥ３１０は正確にその位置を決定する（３７４）。ひとたび決定されると、ＤＴＥ３１０はその地理的位置情報をメモリー３３２内に記憶する（３７６）。前述の実施形態の場合と同様に、地理的位置情報は、ブックマークがユーザーによってアクセスされた場合に常に、又はアプリケーション３３７のプログラミングに従ってその他の時点で、規則的間隔で決定可能である。地理的位置情報は、ＤＴＥ３１０内に記憶された現在の位置をユーザーに示すべくさらに表示され得る（３７７）。
【００３９】
ここで図１４及び１５を参照すると、特定の地理的位置についてブックマークを調べ、かつ放送を受信しブックマークの選択に基づいて放送局のウェブサイトと対話するための方法３７８が示されている。例えば方法３５０、３５６、３６２又は３７０によって決定可能である地理的位置情報に従って、ユーザーは、決定された地理的位置情報と整合する地理的位置パラメータを有する放送ブックマーク情報を調べるよう要求する（３８２）。該放送ブックマーク情報は、アプリケーション３３７を用いてユーザーにより好みの放送ブックマーク情報として予め保存されている可能性がある。以下で論述するその他の例においては、放送ブックマーク情報は、該地理的位置のための利用可能な放送局を見付けるアプリケーション３３７の自動スキャン機能を介して設定され得る。ユーザーの要求に応えて、アプリケーション３３７は、現在の地理的位置情報に従ってディスプレイ３２０にブックマーク３３４を列挙させる（３８４）。ブックマークはまた、所望の音楽ジャンルといったようなそれらの位置パラメータと組み合わされたその他のパラメータを用いて表示されてもよい。キーパッド３２４を用いて、ユーザーは、表示されたブックマークから所望のブックマークを選択する（３８６）。所望のブックマーク３３６の選択時点で、アプリケーション３３７は、データベース３３５からブックマーク３３６のための周波数及び地理的位置パラメータをフェッチする（３９０）。
【００４０】
ブックマーク３３６用の周波数をフェッチした後、アプリケーション３３７は受信器３２８をブックマーク３３６用の周波数に設定し、かくしてオーディオ放送を受信（３９２）するように命令する（３９１）。オーディオ放送の受信と合わせてディスプレイ３２０上に図形３３９を見出し（３９３）かつ表示する（３９４）ようにアプリケーション３３７を構成することもできる。図形は、オーディオ放送が再生中であることをユーザーに示す全ての局に共通の標準的ラジオインジケータであり得る。このため、ユーザーは、ブランクスクリーンではなく、オーディオ放送受信のインジケータを見ることができる。しかしながら好ましくは、図形３３９は、ブックマーク３３６と関連するメモリー３３２内に記憶されたロゴイメージ又はアニメーション（図示せず）を含む。さらに図形３３９は、ディスプレイ３２０上に表示された関連するブックマークの一部を形成することができる。
【００４１】
図形３３９はさまざまな利点を提供する。例えば、それは、対話型デジタルコンテンツ（内容）が、放送局のために利用可能であることを表示できる。それはさらに、ユーザーにより直ちに認識可能である放送局の魅力的な表示を提供することができる。これはまた、放送局についての情報を提供するか、又は製品又はサービスを広告することもできる。その他の実施形態においては、図形３３９は、該放送局用のウェブサイトから得ることのできる数多くのダウンロード可能な図形の１つといったようなカスタマイズ化可能なものであり得る。図形３３９には、アニメーション、サウンド、ビデオクリップ及びその他のコンテンツが含まれうる。
【００４２】
その他の実施形態においては、図形は、当初標準的なラジオインジケータであり得、デジタル接続性が確立された時点で放送局サーバー１１８から引き続き受信したロゴイメージ又はアニメーション（図示せず）でこれを置換する。図形並びにウェブサイトアドレス及びその他の放送ブックマーク情報は、図４に関連して上述した方法に従って局ＩＤサーバー１１３から得ることができる。ブックマークについてのこのような情報を受信した後、アプリケーション３３７は好ましくは、かかる放送ブックマーク情報をデータベース３３５内に記憶する。本発明の１つの実施形態に従うと、かかる放送ブックマーク情報は、アプリケーション３３７のプログラミングに従ってデータベース３３５内に記憶された全ての放送ブックマーク情報について、局ＩＤサーバー１１３から定期的に更新可能である。
【００４３】
本発明のもう１つの実施形態においては、ユーザーは、データベース３３５内に記憶されたブックマーク用の放送ブックマーク情報を局ＩＤサーバー１１３から更新するように手動で要求することができる。かかる更新中に各々のブックマークと関連する局を正確に識別するために、周波数及び地理的位置パラメータ情報が局ＩＤサーバー１１３に伝送される。データベース３３５の中に記憶されているサーバー１１３に対して局識別情報を伝送することにより、局ＩＤサーバー１１３に対し局を正確に識別することもできる。該局識別情報は、局放送と共にＲＤＳ信号から、又はその局用の放送局サーバーとの通信を通して既に受信されている可能性がある。本発明の変形実施形態においては、ＲＤＳ信号を介して放送周波数を受信している間に適切なウェブサイトアドレス及び図形を受信することができる。さらにもう１つの実施形態においては、図形局識別子の送達及び表示は、マルチメディアメッセージサービス（ＭＭＳ）メッセージといったようなメッセージングによって実施可能である。したがって、ＤＴＥ３１０があるラジオ局を受信した時点で、データベース３３５内でそのラジオ局に対応する図形表示の存在を探索することができる。発見されない場合、図形及び／又は呼び出し音オーディオファイルを含むＭＭＳメッセージが、ショートメッセージサービス（ＳＭＳ）メッセージを用いて該サービスから要求される。受信された時点で、ＭＭＳメッセージは、ラジオ局の図形及び／又はオーディオ表現を構築するために用いられる。
【００４４】
あらゆる場合において、図形３３９は、好ましくは、所望の放送の受信を表示するべくディスプレイ３２０上に表示される（３９４）。その後受信器３２８の設定と並行して、アプリケーション３３７は、サーバー用のウェブサイトアドレスを用いて、放送局サーバー１１８との通信を要求する（３９５）。これに応答して、通信ハードウェア３３２は、放送局サーバー１１８からデータを要求する（３９６）。したがって、ＤＴＥ３１０は、通信ハードウェア３３２を介してデータを受信し（３９８）、ディスプレイ３２０上に関連するコンテンツを表示する（３９９）。
【００４５】
かくして、方法３７８に従うと、ユーザーは、当初自らの現在の地理的位置用の、又はオプショナルには選択された地理的位置用のブックマークの提示を受ける。ユーザーは、ひとたびブックマークを選択すると、オーディオラジオメディアといったような放送の受信を示す図形３３９を調べることができる。放送局サーバー２１３からのデータが受信されると、ＤＴＥ３１０は、放送局のウェブサイトのための対話型データといったような現在のデータを示す。本発明のその他の実施形態においては、図形３３９、ウェブサイトデータ及びその他の放送ブックマーク情報をＲＤＳ信号を介して受信することが可能である。
【００４６】
往々にして、ブックマークは、好みのラジオ局といったような既知の放送局に結びつけられている。しかしながら数多くのケースにおいて、ユーザーは、自らが知らないものの自らの地理的位置内で利用可能である放送局用のブックマークを調べたいと考えるかもしれない。このため、ユーザーは、自らの地理的位置内の利用可能な局用のブックマーク全体をスクロールすることを望むかもしれない。かかるスクローリングは、関連する局がデジタル双方向性を含むか否かを識別できる局についての図形情報と共に各々の利用可能な局用のブックマークを表現することによって、改善できる。したがって、本発明の実施形態に従ったアプリケーション３３７は、自動スキャン機能を含んでいる。自動スキャン機能は、ユーザーが所望の放送を受信する一方で利用可能な放送についての図形情報を調べることができるようにする。自動スキャンプロセスから獲得した情報は、当該地理的位置用の１組のブックマークを設定するために使用することができる。
【００４７】
ここで図９と共に図１６〜１７ｄを参照すると、地理的エリア内で利用可能な放送についてスキャンし、スキャンされた放送局を目視で調べることによって移動体デバイスを設定し、かつオプショナルには利用可能な放送局からのブックマークを新規作成するための本発明の実施形態に従った方法４００が示されている。図示されているように、該方法は、ＤＴＥ３１０のユーザーがラジオを聞くためのオプションを選択した（４０２）時点で開始する。このような選択は、アプリケーション３３７へのキーパッド３２４上のショートカットキーをユーザーが入力すること、又はその他のユーザーインターフェース方法を介して、行われ得る。アプリケーション３３７の実行後に、ユーザーはアプリケーション３３７の「スキャン」機能を選択する（４０４）ことができ、これにより受信器３２８は、利用可能な放送局を見付けるべく（４０６）、適切な周波数帯域幅をスキャンすることになる。１つ以上の放送周波数が発見された時点で、受信器３２８は、アプリケーション３３７に対しこのような周波数を報告する（４０８）。
【００４８】
図１７ａに示されているように、アプリケーション３３７は、ＤＴＥ３１０が自動受信中であることをディスプレイ３２０上に表示することができる。ユーザーはまた、自動受信オペレーションを制御するオプションの提示を受けることもできる。例えば、受信器３２８により見付けられた現在の周波数４１６と共に、ディスプレイ３１０上にアップ４１０、ダウン４１２及び選択４１４オプションを示すことができる。ユーザーがアップ４１０又はダウン４１２オプションを選択した場合、アプリケーション３３７は、それぞれ現在の周波数より上又は下をスキャンするように受信器３２８に命令する。ユーザーがセレクト４１４オプションを選択した場合、又はオプショナルには、ＤＴＥ３１０がユーザーの入力を待つタイムアウト期間の満了に応答して、受信器３２８は表示された現在の周波数に設定され、受信したオーディオ放送を流し始める（４１０）。図１７ｂに示されているように、ディスプレイ３１０は、ユーザーに対し、ＤＴＥ３１０が受信している周波数を表示する（４１２）ことができる。
【００４９】
スキャンされた周波数の選択時点で、アプリケーション３３７は、放送局用の図形３３９を見付け（４１８）ようと試みる。アプリケーション３３７はまず第１に、該局のために局所的に放送ブックマーク情報が記憶されているか否かを見極めるためにブックマークデータベース３３５を探索する。例えば、現在の地理的位置情報及びスキャンされた周波数に基づいて、アプリケーション３３７は、スキャンされた放送局のための関連する放送ブックマーク情報をもつブックマークを見付けることができるかもしれない。図１７ｃに示されているように、ブックマークが見付かり、そのブックマーク用の図形３３９がデータベース３３５内に記憶されている場合、記憶された図形３３９は当初ディスプレイ３２０上に表示される（４２０）。図形３３９と共に、オプショナルには、放送が受信中であることをユーザーに示すべく、放送受信インジケータ４２２が表示される。その他の実施形態においては、図形３３９並びにウェブサイトデータ及びその他の放送ブックマーク情報を、セル同報メッセージといったようなＲＤＳ信号又はデータメッセージを介して受信することができる。さらなる実施形態においては、局ＩＤサーバー１１３といったようなサーバーに図形３３９を要求することができる。さらにもう１つの実施形態においては、図形３３９及び／又はオーディオファイルを要求し受信するためにＳＭＳ及び／又はＭＭＳメッセージを使用することができる。
【００５０】
アプリケーション３３７はさらに、現在のスキャンされた放送と関連する局について、ウェブサイトといったようなデータサービスについて検査する。放送信号がＲＤＳ信号の一部として局識別情報を含む場合、この局識別情報は、データ接続性情報を要求するために使用される。そうでない場合、データ接続性情報を要求するために周波数及び地理的位置情報が用いられる。かかる情報を用いて、アプリケーション３３７は、通信ハードウェア３３２に対し、局ＩＤサーバー１１３に周波数及び地理的位置情報を送り（４２６）、図１〜８と共に論述された方法に従って放送局と関連するウェブサイトからのデータの受信を要求するように命令する（４２４）。図１７ｄに示されているように、データサービスを探索する間に、ディスプレイ３２０はオプショナルにはデータサーチインジケータ４２８を表示してＤＴＥ３１０がデータサービスを探索していることを示す。
【００５１】
現在のスキャン対象局についてのデータサービスを通信ハードウェア３３２が受信した（４３０）場合、情報は処理され（４３２）、デジタルコンテンツはディスプレイ３２０上に表示（４３４）される。図１７ｅは、スキャン対象の放送局のためのデータサービスが受信された時点で表示される強化されたディスプレイを例示している。ここに示されているように、更新された図形３３９も、放送局サーバー１１８用のウェブサイトといったデータ接続性情報に加えて受信可能である。この情報は好ましくはデータベース３３５内に自動的に記憶され、その局について放送ブックマーク情報が存在しない場合、１つが新規作成される。放送ブックマーク情報は好ましくは、ジャンル、図形３３９、ウェブサイト情報、地理的位置、周波数などといったような利用可能なかぎり多くの情報を含む。ユーザーにはまた、好みのブックマークとして該放送局を保存するオプションが提供される可能性もある。さらに、オプショナルには、自動スキャンプロセスから見付けられた全ての局を当該地理的位置用のブックマークとして保存するようにアプリケーション３３７をセットアップすることができる。
【００５２】
前述の方法を示す１例として、ユーザーが自ら一年前に訪れた異なる位置まで移動すると仮定する。このユーザーが、利用可能な放送局をスキャンすることを望んでいると仮定する。図１７ａに示されているように、プログラミングされた選好性として、アプリケーション３３７が周波数範囲の上端部で開始し、下へと作業を進めるものと仮定する。利用可能な放送として、ＤＴＥ３１０は周波数１０４.６を見付けるものと仮定する。１０４.６を短時間聞いた時点で、またユーザーがもう１つの局を試す決定を下したとも仮定する。このため、ユーザーは、ディスプレイ３２０上に表示されたダウンオプションを選択することができる。ユーザーがそれを行い、受信器３２８がその後充分に強い信号を有する実行できる放送として周波数１０２.３を見付けると仮定する。ユーザーが何も行わない場合、ＤＴＥ３１０はタイムアウトし、放送１０２.３を受信し始める。さらに、アプリケーション３３７は、方法３５０、３５６、３６２及び３７０のうちの１つにより決定されるように、当該地理的位置における現在の周波数のための古い放送ブックマーク情報をデータベース３３５内に見付ける。図１７ｄに例示されているように、この古い放送ブックマーク情報についてのデータに基づいて、ＤＴＥ３１０は、記憶された図形３３９を表示し、データベース３３５内に記憶されたウェブサイトアドレスに接続しようと試みる。局ウェブサイトからのデータをうまく受信した時点で、新しい図形３３９と共に、図１７ｅに示されているように、関係するコンテンツがディスプレイ３２０内で表示される。さらに、古い放送ブックマーク情報はユーザーが将来参照するために更新される。
【００５３】
一変形実施形態（図示せず）においては、ＤＴＥ３１０は、局ＩＤサーバーといったようなサーバーからの現在の地理的エリア内で利用可能な全ての放送についての情報を要求することができる。かかる情報の受信時点で、ＤＴＥ３１０は、好ましくは図形３３９を含む全ての利用可能な放送に対するブックマークを設定する。このため、ユーザーは、地理的エリアにおける利用可能な放送について図形ブックマーク全体を容易にスクロールすることができる。
【００５４】
上述の実施形態のうち多くのものにおいて、情報及び移動体デバイスブックマークに対し特定の局放送を補足するその他の情報を提供するために、ＲＤＳ伝送を使用することができる。当該技術分野において既知のとおり、ＲＤＳ伝送は往々にして、特定の番組又は局放送が伝送されている代替周波数（ＡＦ）を内含する。さらに、ＲＤＳ伝送は往々にして、伝送を介して放送されつつある現在の番組を識別する番組識別（ＰＩ）情報（例えばトークショーの名前）及び、放送局を識別する番組局（ＰＳ）情報（例えばズームＦＭ）を内含する。地理的位置情報といったようなその他の情報もＲＤＳを介して伝送され得る。伝送されたＲＤＳ情報に基づいて、ラジオ受信機は、ユーザーにとって非常に使いやすいものとなるようにプログラミングされ得る。例えば、ラジオ受信機は、信号が弱くなりより強い信号が利用可能になるにつれて、受信中のＰＩのためのＡＦに迅速に設定される。しかしながらこのようなラジオ受信機は、ＲＤＳ復調器／復号器及びマイクロプロセッサ（図示せず）をこのような伝送を受信するために必要とし、デジタル通信を受信することのできる数多くの移動体デバイス上では利用できない可能性がある。
【００５５】
ＲＤＳ能力のない移動体デバイス上のＲＤＳ伝送の利点は、セル同報サービス（ＣＢＳ）伝送を通してといったように、そうでなければＲＤＳ伝送内に提供される情報を提供するデジタル通信の使用を通して実現可能であるという点である。ここで図１８〜２１を参照すると、本発明の実施形態に従ってデジタル通信ネットワーク全体にわたり補足的放送情報を提供するためのシステム及び方法が示されている。図１８は、例えばＧＳＭアンテナ５３１を介してグローバル移動体通信システム（ＧＳＭ）ネットワークといったようなデータ通信ネットワークからのデジタル通信及びＶＨＦ／ＦＭアンテナ５３０を介してのアナログ放送伝送を受信するようになっているＤＴＥ５１０を示している。本発明は、ＧＳＭアンテナ５３１を介してＧＳＭデータを受信することに制限されず、その他のタイプのアンテナ配置もまた可能であるということに留意すべきである。ＣＢＳ伝送に関係する態様を除いて、ＤＴＥ５１０のための態様及び選好性は、一般にＤＴＥ３１０と同じである。
【００５６】
１つの実施形態に従うと、ＣＢＳ伝送内で受信されるＲＤＳ情報に従って、ＶＨＦ／ＦＭ受信機５３０を設定し及び／又は再設定するためにソフトウェアを使用することができる。このため、ＪＡＶＡ（登録商標）２  Micro  Edition（Ｊ２ＭＥ）環境内で実行するアプリケーションとして実施されうるＶＨＦ／ＦＭラジオアプリケーションプログラミングインターフェース（ＡＰＩ）５３９、ワイヤレスメッセージＡＰＩ（ＷＭＡ）５３３及びラジオプレイヤーアプリケーション５３７が、ＤＴＥ５１０のメモリー５２２内に記憶される。オペレーション中、ＧＳＭアンテナ５３１が、ＲＤＳ情報を送達しているＣＢＳ伝送を受信するように設定されている場合、受信されたＣＢＳメッセージ６００（図２１に示されているもの）はＷＭＡ５３３を介してラジオプレイヤーアプリケーション５３７に提出される。ラジオプレイヤーアプリケーション５３７は、ＲＤＳ情報を復調させることができ、その情報に基づいて、適切な周波数を選択することができる。ＶＨＦ／ＦＭラジオＡＰＩ５３９を用いて、ラジオプレイヤーアプリケーション５３７は、所望の放送波を受信するべく、好ましくはデジタル位相ロックループ（ＰＬＬ）シンセサイザである受信器５２８を設定する。かくしてＲＤＳ情報並びにユーザー指令といったようなその他の入力に基づいて、アプリケーション５３７は、放送及びコンテンツの再生及び表示に関してＤＴＥ５１０を制御するためにプロセッサ５２６に対して命令を提供する。
【００５７】
図２１は、標準的には８８オクテットから成る、標準的な単一ページのＣＢＳメッセージ６００を示している。各々のＣＢＳメッセージは、１〜１５ページから成り得る。ＣＢＳメッセージ６００は、受信機により肯定応答されていない特定地理的エリア内の全ての受信機に送られる放送メッセージの１つのタイプである。各々のＣＢＳメッセージページは、シリアル番号６０２、メッセージ識別子６０４、ページ番号６０６、データ符号化スキーム６０８、及びメッセージ内容（コンテンツ）６１０を含む。メッセージ識別子６０４は、メッセージのソースを表し、シリアル番号６０２は、特定のメッセージのための一意的識別子である。ページパラメータ６０６は、ＣＢＳメッセージ６００内の合計ページ数（メッセージ）及びメッセージシーケンス内の現在の番号を表す。データ符号化スキーム６０８は、言語又はフォーマットといったようなメッセージコンテンツについての符号化情報を提供する。
【００５８】
本発明の１実施形態に従ったＲＤＳメッセージは各々、ＣＢＳメッセージのコンテンツ６１０の中で搬送される。例えば図２１に示されているＲＤＳメッセージ６２０は、ＣＢＳメッセージ６００内で搬送される。ＲＤＳメッセージ６２０は、ＰＩ６２２、ＰＳ６２４、ＡＦ６２６及びＲＤＳ／ＣＢＳメッセージを送る同報セルについての位置情報又はブックマーク図形についてのデータといったようなその他の情報６２８を含む。ＣＢＳメッセージ内でＲＤＳメッセージを搬送することにより、移動体デバイスがＲＤＳ技術の恩恵を獲得することができ、移動体デバイスは、通信ネットワーク上でＣＢＳメッセージを受信し、放送を受信することができる。
【００５９】
図１９を参照すると、放送伝送を補足する上でのＣＢＳメッセージの利点を例示するべく、放送ネットワーク７００の一例が示されている。放送局７１０が「ＺＯＯＭ  ＦＭ」という局名でＦＭラジオを放送すると仮定する。局７１０からの放送信号は、電線を介してか又は代替的には無線リンクを用いて無線で、フィンランドのエスポーに位置する第１の送信機７１２及びフィンランドのツルクに位置する第２の送信機７１４に送られる。第１の送信機７１２は、エスポーの町の周辺地理的エリアに対し１０６.２ＭＨｚの周波数で放送局ＺＯＯＭ ＦＭを送信し、第２の送信機７１４は、ツルクの周辺の地理的エリアに対し１０３.９ＭＨｚの周波数で同じ放送局を送信する。ＡＦ、ＰＩ及びＰＳデータを含むＲＤＳ情報が、放送と共に送信機７１２、７１４によって送信される。放送局７１０は、エスポー、ツルク及びその間の領域という地理的位置にサービスを提供するセル同報エンティティ（ＣＢＥ）７１６に同じＲＤＳ情報を送る。
【００６０】
ここで図１９と合わせて図２０を参照すると、ラジオ局ＺＯＯＭ ＦＭのドメインをカバーする公衆陸上移動体ネットワーク（ＰＬＭＮ）７１８が示されている。ＰＬＭＮ７１８は、ラジオ局ＺＯＯＭ ＦＭの放送ドメイン内で、セル１ ７２０、セル２ ７２２、及びセル３ ７２４を含む、そのドメイン内部の移動体デバイスに対するＧＳＭ移動体通信を提供する。図示されているように、セル１ ７２０及びセル２ ７２２は、ラジオ放送波機７１２により伝送されるＺＯＯＭ ＦＭのためのＦＭラジオ放送を受信し、セル３は、送信機７１４からのＺＯＯＭ ＦＭ放送を受信する。放送局７１０とＰＬＭＮ７１８の間の契約に基づき、ＲＤＳ情報は、ＣＢＳメッセージを通して放送波エリアと一致するセル同報エリアの中で定期的に伝送される。ＣＢＳメッセージは、セル同報センター（ＣＢＣ）７２０に接続されているＣＢＥ７１６を含む多数のセル同報エンティティ（ＣＢＥｓ）に由来し得る。特定のＣＢＥからのＣＢＳメッセージは、放送局ＺＯＯＭ ＦＭと契約されたとおりに、ＣＢＣセルカバレージ規定条件に従って伝送される。
【００６１】
ＣＢＣは適切な基地局コントローラ（ＢＳＣ）にＣＢＳメッセージを送り、ここでメッセージは記憶され、ＣＢＣ７２０からの命令に従って定期的に伝送される。ＤＴＥ５１０は、ユーザーにより手動式にこれらのＣＢＳメッセージを受信するように構成され得る。また、ＤＴＥ５１０は、ＰＬＭＮ７１８がＣＢＳメッセージを受信するべく無線で（ＯＴＡ）ＤＴＥ５１０を構成できるようにプログラミングされ得る。各々のラジオ局用のＣＢＳメッセージは、好ましくは専用チャネル上で伝送される。しかしながら、ＰＬＭＮ７１８は、共通のＣＢチャネル上で該ドメイン用の全てのＣＢＳメッセージを送ることができる。
【００６２】
一例として、ユーザーが、エスポー市内にいる間にズーム放送局７１０用のＤＴＥ５１０上のブックマーク５３４を選択すると仮定する。そのプログラミングに従って、アプリケーション５３７は、周波数１０６.２ＭＨｚを受信するように受信器５２８に命令する。さらに、封入されたＲＤＳメッセージ６２０の一部として更新されたウェブアドレス情報を含むＣＢＳ メッセージ６００の受信に基づいて、ＤＴＥ５１０は、更新されたウェブアドレスで放送局サーバー１８にデジタルコンテンツを要求する。ＲＤＳメッセージ６２０がさらに、同じＰＳ６２４がセル３用の周波数１０３.９上で同じＰＩを放送していることを表すＡＦ情報を提供すると仮定する。また、ＲＤＳメッセージ６２０が、ＲＤＳメッセージの「その他」の部分６２８内で地理的位置情報を含んでいるということも仮定する。このため、ツルク市のエリア内にセル３ ７２４が入った時点で、アプリケーション５３７は自動的に、受信器５２８を１０３.９のＡＦに設定する。周波数の変化はユーザーにとって明白である。かくして、ＤＴＥ５１０に対する付加的なＲＤＳ機能性を提供することなく、ＤＴＥ５１０は、ＺＯＯＭ ＦＭ用のそのブックマークを更新し、必要に応じて自動的に周波数を変更することができる。
【００６３】
本発明は、例示された実施形態と関連して記述されてきたが、本発明の精神及び範囲から逸脱することなく修正を加えることも可能であるということがわかるだろう。特に、本発明は、ラジオ放送を受信するようになっておりデータ接続性を有するあらゆるコンピュータデバイスに適用可能である。さらに、ラジオ放送はＦＭラジオに制限されず、アナログ又はデジタル放送も含みうるものである。
【図面の簡単な説明】
【００６４】
【図１】ラジオ放送を受信するようになっており、通信ネットワークと通信状態にある移動体デバイスを含む本発明の１実施形態に従ったシステムの配置を示している。
【図２】図１のデバイスの実施例の機能的ブロック図を示している。
【図３】本発明の１実施形態に従ったラジオブックマークの選択に従った図１のシステムのオペレーションについての流れ図を示している。
【図４】通信ネットワークと通信状態にあるラジオ放送を受信するようにした移動体デバイスを含む本発明に従ったシステムのもう１つの実施形態の配置を示している。
【図５】図４のデバイスの実施例の機能的ブロック図を示している。
【図６】本発明の１実施形態に従ったラジオブックマークの選択に従った図４のシステムのオペレーションについての流れ図を示している。
【図７】通信ネットワークと通信状態にあるラジオ放送を受信するようにした移動体デバイスを含む本発明に従ったシステムのさらなる実施形態の配置を示している。
【図８】本発明の１実施形態に従ったラジオブックマークの選択に従った図７のシステムのオペレーションについての流れ図を示している。
【図９】本発明のさらなる実施形態に従った移動体デバイスの機能的ブロック図を示している。
【図１０】本発明の実施形態に従った図９の移動体デバイスの位置を決定するための方法を示す。
【図１１】本発明のもう１つの実施形態に従った図９の移動体デバイスの位置を決定するための方法を示す。
【図１２】本発明のさらなる実施形態に従った図９の移動体デバイスの位置を決定するための方法を示す。
【図１３】本発明のさらにもう１つの実施形態に従った図９の移動体デバイスの位置を決定するための方法を示す。
【図１４】本発明の１実施形態に従った地理的位置のための放送ブックマーク情報を調べる方法を示す。
【図１５】図１４の方法のステップに従った移動体デバイス上のさまざまなディスプレイを示す。
【図１６】本発明の１実施形態に従った移動体デバイス上の放送局についてのスキャン方法を示す。
【図１７ａ】図１６の方法のステップについての移動体デバイス上のさまざまなディスプレイを示す。
【図１７ｂ】図１６の方法のステップについての移動体デバイス上のさまざまなディスプレイを示す。
【図１７ｃ】図１６の方法のステップについての移動体デバイス上のさまざまなディスプレイを示す。
【図１７ｄ】図１６の方法のステップについての移動体デバイス上のさまざまなディスプレイを示す。
【図１７ｅ】図１６の方法のステップについての移動体デバイス上のさまざまなディスプレイを示す。
【図１８】本発明のさらなる実施形態に従った移動体デバイスの機能的ブロック図を    示す。
【図１９】本発明の１実施形態に従った図１８の移動体デバイスと共に使用するための放送システムを示す。
【図２０】本発明の１実施形態に従った図１８の移動体デバイス及び図１９の放送システムと共に使用するための移動体ネットワークを示す。
【図２１】本発明の１実施形態に従った図２０の移動体ネットワーク内で放送されるメッセージのためのメッセージフォーマットを示す。
【図１】
0004146433.tif 000002
【図２】
0004146433.tif 000003
【図３】
0004146433.tif 000004
【図４】
0004146433.tif 000005
【図５】
0004146433.tif 000006
【図６】
0004146433.tif 000007
【図７】
0004146433.tif 000008
【図８】
0004146433.tif 000009
【図９】
0004146433.tif 000010
【図１０】
0004146433.tif 000011
【図１１】
0004146433.tif 000012
【図１２】
0004146433.tif 000013
【図１３】
0004146433.tif 000014
【図１４】
0004146433.tif 000015
【図１５】
0004146433.tif 000016
【図１６】
0004146433.tif 000017
【図１７ａ】
0004146433.tif 000018
【図１７ｂ】
0004146433.tif 000019
【図１７ｃ】
0004146433.tif 000020
【図１７ｄ】
0004146433.tif 000021
【図１７ｅ】
0004146433.tif 000022
【図１８】
0004146433.tif 000023
【図１９】
0004146433.tif 000024
【図２０】
0004146433.tif 000025
【図２１】
0004146433.tif 000026